(57)【要約】【課題】簡易な構造で盗難や紛失時の不正使用を防止する。【解決手段】情報の書き込みや読み出しが行われるＩＣチップ１１１に電流を供給するアンテナ１１２に断線部１１５を設け、この断線部１１５と対向する領域に、断線部１１５を導通させるための導通パターン１３１を断線部１１５に対して中間層１２０ａの厚さ分の空隙を介して設ける。【選択図】図１
2008071121.tif 000002
【特許請求の範囲】
【請求項１】
導電性パターンが形成されるとともに該導電性パターンを介して電流が供給されることにより非接触状態にて情報の書き込み及び／または読み出しが可能なＩＣチップが搭載されてなるメイン基材部と、該メイン基材部の少なくとも導電性パターンが形成された面に積層されたサブ基材部とを有するＲＦＩＤメディアにおいて、
前記導電性パターンは、少なくとも一部に断線部を有し、
前記サブ基材部は、前記断線部と対向する領域に当該断線部を導通させるための導通手段が前記断線部に対して空隙を介して設けられていることを特徴とするＲＦＩＤメディア。
【請求項２】
請求項１に記載のＲＦＩＤメディアを用いた認証システムであって、
前記ＩＣチップに書き込まれた情報を非接触状態にて読み出す情報読出手段と、
前記情報読出手段における情報読み出し領域に存在するＲＦＩＤメディアを検知する対物検知手段と、
前記対物検知手段にてＲＦＩＤメディアが検知された場合に、前記情報読出手段にて前記ＲＦＩＤメディアのＩＣチップから読み出された情報を取得し、該情報と予め管理されている情報とを照合し、照合結果に基づいて認証を行う制御手段とを有する認証システム。
【発明の詳細な説明】
【技術分野】
【０００１】
本発明は、非接触状態にて情報の書き込みや読み出しが可能な非接触型ＩＣカード等のＲＦＩＤメディアに関し、特に、盗難や紛失時の不正使用を防止する構造に関する。
【背景技術】
【０００２】
近年、情報化社会の進展に伴って、情報をカードに記録し、該カードを用いた情報管理や決済等が行われている。
【０００３】
このような情報管理や決済等に用いられるカードは、ＩＣチップが内蔵されたＩＣカードや、磁気により情報が書き込まれた磁気カード等があり、専用の装置を用いて情報の書き込みや読み出しが行われる。
【０００４】
さらに、ＩＣカードにおいては、情報の書き込みや読み出しを専用の装置に接触させることにより行う接触型ＩＣカードと、専用の装置に近接させるだけで情報の書き込みや読み出しを行うことができる非接触型ＩＣカードがある。これらのＩＣカードは、磁気カードと比較してセキュリティ性が高いとともに書き込み可能な情報量が多く、また、１枚のカードを多目的に使用できるため、市場における普及度は増加の一途を辿っている。また、その中でも、非接触型ＩＣカードにおいては、情報の書き込みや読み出しを行う際、カードを取り出して専用の装置に挿入する必要がなく取り扱いに便利なため、そのカード及び該カードに書き込まれた情報を読み取るための装置の急速な普及が進みつつある。
【０００５】
図８は、従来の非接触型ＩＣカードの構造の一例を示す図であり、（ａ）は表面図、（ｂ）は内部構造を示す図、（ｃ）は（ｂ）に示したＡ−Ａ’断面図である。
【０００６】
本従来例は図８に示すように、樹脂シート５１４上に導電性材料からなるコイル状のアンテナ５１２が形成されるとともにＩＣチップ５１１が搭載されたインレット５１０が、中間層５２０ａ，５２０ｂ及び表面シート５３０ａ，５３０ｂに挟み込まれて構成されている。ＩＣチップ５１１１は、非接触状態にて情報の書き込みや読み出しが可能なものであって、接点５１３を介してアンテナ５１２と接続されている。また、インレット５１０と中間層５２０ａ，５２０ｂ、並びに、中間層５２０ａ，５２０ｂと表面シート５３０ａ，５３０ｂとはそれぞれ接着剤層（不図示）によって互いに接着されている。
【０００７】
上記のように構成された非接触型ＩＣカード５００においては、外部に設けられた情報書込／読出装置（不図示）に近接させることにより、情報書込／読出装置からの電磁誘導によってアンテナ５１２に電流が流れ、この電流がＩＣチップ５１１に供給され、それにより、非接触状態において、情報書込／読出装置からＩＣチップ５１１に情報が書き込まれたり、ＩＣチップ５１１に書き込まれた情報が情報書込／読出装置にて読み出されたりする。
【０００８】
ここで、上述したような非接触型ＩＣカードにおいては、厚さが薄くかつ小型であるため、携帯しやすい反面、紛失や盗難に合う可能性が高い。非接触型ＩＣカードは、上述したように情報管理や決済等に用いられるため、盗難や紛失に合って不正に使用された場合、その被害は大きなものとなってしまう。
【０００９】
そこで、予め決められた暗証番号や暗証記号、あるいは指紋等といった利用者を識別可能な情報が入力された場合にのみ動作する非接触型ＩＣカードが考えられている（例えば、特許文献１参照。）。この非接触型ＩＣカードにおいては、通常はカードの電子回路内に設けられた阻止回路によってカードを使用不可能な状態としておき、入力ボタンを介して入力された暗証番号や暗証記号、あるいは指紋センサーにて読み取られた指紋が予め登録されているものである場合に、カードの電子回路内に設けられた正常状態持続機構から阻止回路に対して電子回路を正常な状態とする信号が出力され、それにより、カードが使用可能な状態となる。
【特許文献１】特開２００６−７２８１４号公報
【発明の開示】
【発明が解決しようとする課題】
【００１０】
しかしながら、上述したように、利用者を識別可能な情報が入力された場合に、内部の電子回路の制御によって利用可能とする非接触型ＩＣカードのようなＲＦＩＤメディアにおいては、暗証番号や暗証記号等を入力するための入力ボタンや、指紋を読み取らせるための指紋センサーを設ける必要が生じ、その構造が複雑になってしまうとともに製造コストが増大してしまうという問題点がある。また、内部の電子回路に上述したような制御を行わせるための機能を持たせる必要があり、これについても製造コストが増大する要因となる。
【００１１】
本発明は、上述したような従来の技術が有する問題点に鑑みてなされたものであって、簡易な構造で盗難や紛失時の不正使用を防止することができるＲＦＩＤメディア及びこれを用いた認証システムを提供することを目的とする。
【課題を解決するための手段】
【００１２】
上記目的を達成するために本発明は、
導電性パターンが形成されるとともに該導電性パターンを介して電流が供給されることにより非接触状態にて情報の書き込み及び／または読み出しが可能なＩＣチップが搭載されてなるメイン基材部と、該メイン基材部の少なくとも導電性パターンが形成された面に積層されたサブ基材部とを有するＲＦＩＤメディアにおいて、
前記導電性パターンは、少なくとも一部に断線部を有し、
前記サブ基材部は、前記断線部と対向する領域に当該断線部を導通させるための導通手段が前記断線部に対して空隙を介して設けられていることを特徴とする。
【００１３】
上記のように構成された本発明においては、通常、外力が加わっていない状態においては、情報が書き込まれたり読み出されたりするＩＣチップに電流を供給するための導電性パターンが断線部において断線し、かつ、この断線部を導通させるためにサブ基材部に設けられた導通手段が、断線部に対して空隙を介して配置されて導電性パターンと接触していないため、この状態において、ＩＣチップに対して情報の書き込みや読み出しを行う情報書込／読出装置に近接させてもＩＣチップに対する情報の書き込みや読み出しは行われない。一方、サブ基材部の導通手段が設けられた領域が押下されると、導通手段が導電性パターンの断線部を挟んで対向する端部にそれぞれ接触し、それにより、導電性パターンが導通する。導電性パターンが導通した状態で、ＩＣチップに対して情報の書き込みや読み出しを行う情報書込／読出装置に近接させると、導電性パターンを介してＩＣチップに電流が供給され、ＩＣチップに対する情報の書き込みや読み出しが行われることになる。
【００１４】
このように、サブ基材部の導通手段が設けられた領域が押下された場合にのみＩＣチップに対する情報の書き込みや読み出しが行われることになるので、サブ基材部の導通手段が設けられた領域をこのＲＦＩＤメディアの正当な所有者のみが認識していれば、簡易な構造で盗難や紛失時の不正使用を防止することができる。
【００１５】
また、前記サブ基材部の全面に、前記導通手段とは電気的に絶縁された導電層を設ければ、光や放射線によって透かされた場合に、断線部及び導通手段が設けられた位置が認識されてしまうことがなくなる。
【００１６】
また、前記断線部及び導通手段を複数有する構成とすることも考えられ、それにより、不正使用のリスクを低減することができる。
【００１７】
また、前記ＲＦＩＤメディアを用いた認証システムであって、
前記ＩＣチップに書き込まれた情報を非接触状態にて読み出す情報読出手段と、
前記情報読出手段における情報読み出し領域に存在するＲＦＩＤメディアを検知する対物検知手段と、
前記対物検知手段にてＲＦＩＤメディアが検知された場合に、前記情報読出手段にて前記ＲＦＩＤメディアのＩＣチップから読み出された情報を取得し、該情報と予め管理されている情報とを照合し、照合結果に基づいて認証を行う制御手段とを有する。
【００１８】
上記のように構成された本発明においては、対物検知手段において、ＩＣチップに書き込まれた情報を非接触状態で読み出す情報読出手段における情報読み出し領域にてＲＦＩＤメディアが検知されると、情報読出手段にてＲＦＩＤメディアのＩＣチップから読み出された情報が制御手段にて取得され、制御手段において、取得された情報と予め管理されている情報とが照合され、照合結果に基づいて認証が行われることになる。
【００１９】
このように、サブ基材部の導通手段が設けられた領域が押下された場合にのみＩＣチップに対する情報の書き込みや読み出しが行われるＲＦＩＤメディアに対しては、対物検知手段において、情報読み出し領域にてＲＦＩＤメディアを検知した場合に、そのＲＦＩＤメディアのＩＣチップから読み出された情報が所定の情報かどうかを確認することで認証を行うことができる。
【発明の効果】
【００２０】
以上説明したように本発明においては、情報が書き込まれたり読み出されたりするＩＣチップに電流を供給するための導電性パターンが断線部にて断線し、この断線部と対向する領域に断線部を導通させるための導通手段が断線部に対して空隙を介して設けられた構成としたため、通常、外力が加わっていない状態においては、導通手段が導電性パターンと接触していないことで導電性パターンが断線しており、ＩＣチップに対する情報の書き込みや読み出しが行われず、また、サブ基材部の導通手段が設けられた領域が押下されると、導通手段が導電性パターンの断線部を挟んで対向する端部にそれぞれ接触して導電性パターンが導通し、ＩＣチップに対する情報の書き込みや読み出しが行われることになり、サブ基材部の導通手段が設けられた領域をＲＦＩＤメディアの正当な所有者のみが認識していれば、簡易な構造で盗難や紛失時の不正使用を防止することができる。
【００２１】
また、上述したＲＦＩＤメディアを用いた認証システムとして、ＩＣチップに書き込まれた情報を非接触状態にて読み出す情報読出手段と、情報読出手段における情報読み出し領域に存在するＲＦＩＤメディアを検知する対物検知手段と、対物検知手段にてＲＦＩＤメディアが検知された場合に、情報読出手段にてＲＦＩＤメディアのＩＣチップから読み出された情報を取得し、取得した情報と予め管理されている情報とを照合し、照合結果に基づいて認証を行う制御手段とを有するものを用いた場合は、ＲＦＩＤの正当な所有者のみを判別し、その判別結果に応じた処理を行うことができる。
【発明を実施するための最良の形態】
【００２２】
以下に、本発明の実施の形態について図面を参照して説明する。
【００２３】
図１は、本発明のＲＦＩＤメディアの実施の一形態となる非接触型ＩＣカードの一例を示す図であり、（ａ）は表面図、（ｂ）は断面図、（ｃ）は（ｂ）に示したインレット１１０の構成を示す図、（ｄ）は（ｂ）に示した表面シート１３０ａの裏面の構成を示す図である。また、図２は、図１に示した非接触型ＩＣカード１００の積層状態を示す図であり、（ａ）はインレット１１０上に中間層１２０ａが積層された状態を示す図、（ｂ）は中間層１２０ａ上に表面シート１３０ａが積層された状態を示す図である。
【００２４】
本形態は図１に示すように、樹脂シート１１４上に導電性材料からなる導電性パターンであるコイル状のアンテナ１１２が形成されるとともにＩＣチップ１１１が搭載されたメイン基材部であるインレット１１０と、サブ基材部である中間層１２０ａ，１２０ｂ及び表面シート１３０ａ，１３０ｂとが積層されて構成され、インレット１１０が、中間層１２０ａ，１２０ｂ及び表面シート１３０ａ，１３０ｂに挟み込まれている。ＩＣチップ１１１は、非接触状態にて情報の書き込みや読み出しが可能なものであって、接点１１３を介してアンテナ１１２と接続されている。なお、アンテナ１１２は、コイル状の両端がＩＣチップ１１１と接続されることになるため、両端のうち一端においてはコイル状の外周側からアンテナ１１２の他の領域を跨いでコイル状の内周側に導かれ、ＩＣチップ１１１と接続される。そのため、実際には、アンテナ１１２の跨がれる領域上に絶縁層が設けられ、その上にてアンテナ１１２がコイル状の外周側から内周側に導かれることになるが、本形態においてはその図示を省略する。また、アンテナ１１２は、その一部にパターンが断線した断線部１１５を有している。インレット１１０と中間層１２０ａ，１２０ｂ、並びに、中間層１２０ａ，１２０ｂと表面シート１３０ａ，１３０ｂとはそれぞれ接着剤層（不図示）によって互いに接着されている。
【００２５】
表面シート１３０ａは、図１（ａ）に示すように表面に情報が印字され、また、裏面には、図１（ｂ）及び図２（ｂ）に示すように、アンテナ１１２の断線部１１５に対向する領域に導通手段となる導通パターン１３１が形成されている。この導通パターン１３１の長さは、断線部１１５にて断線されたアンテナ１１２の端部間の間隔よりも若干長くなっており、それにより、表面シート１３０ａのこの領域がインレット１１０に当接すると、導通パターン１３１が断線部１１５にて断線されたアンテナ１１２の端部にそれぞれ接触し、断線部１１５を導通させることができる。なお、表面シート１３０ａは、透明ではない材料から構成されており、それにより、表面から導通パターン１３１及びアンテナ１１２が視認不可能となっている。
【００２６】
中間層１２０ａは、インレット１１０と表面シート１３０ａとの間に介在し、図１（ｂ）及び図２に示すように、アンテナ１１２の断線部１１５及び表面シート１３０ａに形成された導通パターン１３１と対向する領域に穴部１２１が設けられており、それにより、導通パターン１３１が、断線部１１５に対して中間層１２０ａの厚さ分の空隙を介して配置された状態となっている。この穴部１２１の大きさは、断線部１１５及び導通パターン１３１を含むような大きさであり、それにより、表面シート１３０ａの穴部１２１に対向する領域がインレット１１０に当接すると、導通パターン１３１と断線部１１５にて断線されたアンテナ１１２の端部とを接触させることができるようになっている。
【００２７】
以下に、上記のように構成された非接触型ＩＣカード１００の使用方法について説明する。
【００２８】
図３は、図１に示した非接触型ＩＣカードの使用方法を説明するための図であり、（ａ）は外力が加わっていない状態における断面図、（ｂ）は導通パターン１３１が形成された領域が表面シート１３０ａ側から押下された状態を示す図、（ｃ）は導通パターン１３１が形成された領域が表裏から挟み込まれることにより押下された状態を示す図である。
【００２９】
上記のように構成された非接触型ＩＣカード１００においては、通常、外力が加わっていない状態においては、図３（ａ）に示すように、表面シート１３０ａがフラットな状態となっており、表面シート１３０ａの裏面に形成された導通パターン１３１は、中間層１２０ａの厚さ分の空隙を介してアンテナ１１２の断線部１１５と対向している。そのため、ＩＣチップ１１１に電流を供給するためのアンテナ１１２が断線部１１５において断線しており、この状態において、ＩＣチップ１１１に対して情報の書き込みや読み出しを行う情報書込／読出装置に近接させてもＩＣチップ１１１に対する情報の書き込みや読み出しは行われない。
【００３０】
この状態から、表面シート１３０ａのうち裏面に導通パターン１３１が形成された領域が押下されると、その領域においては、中間層１２０ａが穴部１２１となっていることにより、図３（ｂ）に示すように、表面シート１３０ａが撓み、表面シート１３０ａとインレット１１０の樹脂シート１１４とが当接する。この領域においては、表面シート１３０ａには導通パターン１３１が形成されており、また、樹脂シート１１４上には、断線部１１５及びこれによって断線したアンテナ１１２の端部が存在している。そのため、表面シート１３０ａの裏面に形成された導通パターン１３１が、アンテナ１１２の断線部１１５を挟んで対向する端部にそれぞれ接触し、それにより、アンテナ１１２が導通する。この状態で、ＩＣチップ１１１に対して情報の書き込みや読み出しを行う情報書込／読出装置に近接させると、情報書込／読出装置からの電磁誘導によりアンテナ１１２に電流が流れ、この電流が接点１１３を介してＩＣチップ１１１に供給され、それにより、非接触状態において、情報書込／読出装置からＩＣチップ１１１に情報が書き込まれたり、ＩＣチップ１１１に書き込まれた情報が情報書込／読出装置にて読み出されたりする。
【００３１】
また、導通パターン１３１が形成された領域が表裏から挟み込まれることにより押下されると、表面シート１３０ａ側のその領域においては、中間層１２０ａが穴部１２１となっていることにより、上述したものと同様に、図３（ｃ）に示すように、表面シート１３０ａが撓み、表面シート１３０ａとインレット１１０の樹脂シート１１４とが当接する。そして、上記同様に、情報書込／読出装置に近接させると、非接触状態において、情報書込／読出装置からＩＣチップ１１１に情報が書き込まれたり、ＩＣチップ１１１に書き込まれた情報が情報書込／読出装置にて読み出されたりする。
【００３２】
上述したように、導通パターン１３１が形成された領域が押下された場合にのみ、ＩＣチップ１１１に対する情報の書き込みや読み出しが行われることになるが、上述したように、表面シート１３０ａが透明ではない材料から構成されていることから導通パターン１３１及びアンテナ１１２が外部から視認不可能となっているため、この非接触型ＩＣカード１００が不正に使用されようとした場合であっても、導通パターン１３１が形成された領域が押下されず、ＩＣチップ１１１に対する情報の書き込みや読み出しが行われることはない。なお、このように、表面シート１３０ａが透明ではない材料から構成されていることにより導通パターン１３１及びアンテナ１１２を外部から視認不可能とするのではなく、表面シート１３０ａの表面に印刷を施すことにより導通パターン１３１及びアンテナ１１２を外部から視認不可能とすることも考えられる。また、表面シート１３０ｂについても同様に、透明ではない材料から構成したり、表面に印刷を施したりすることにより、導通パターン１３１及びアンテナ１１２を外部から視認不可能としている。
【００３３】
ここで、導通パターン１３１及びアンテナ１１２が外部から視認不可能であるだけでは、同一種類の非接触型ＩＣカード１００を所有する利用者による不正使用は、不正に使用しようとする非接触型ＩＣカード１００の断線部１１５及び導電パターン１３１の位置が認識されているために回避することはできない。そこで、断線部１１５及び導通パターン１３１の位置を非接触型ＩＣカード１００毎に異なるようにすることにより、正当な使用者以外の者による不正使用を確実に回避することができるようになる。
【００３４】
以下に、上述した非接触型ＩＣカード１００を認証システムに用いた例について説明する。
【００３５】
図４は、図１に示した非接触型ＩＣカード１００を用いて認証を行う認証システムの一例を示す図である。
【００３６】
本例における認証システムは図４に示すように、図１に示した非接触型ＩＣカード１００のＩＣチップ１１１に書き込まれた情報を非接触状態にて読み出す情報読出手段であるＲＦＩＤリーダ１と、ＲＦＩＤリーダ１の情報読み出し領域に存在する非接触型ＩＣカード１００を検知する対物検知手段である対物センサー２と、対物センサー２における検知結果とＲＦＩＤリーダ１における非接触型ＩＣカード１００からの情報の読み出し結果とに基づいて認証を行うパーソナルコンピュータ等の制御装置３とから構成されている。
【００３７】
このように構成された認証システムは、例えば、セキュリティコントロールが必要とされる建物の入り口に設置されて入退室管理に利用され、予め登録された非接触型ＩＣカードの所有者のみを建物の入り口から入場可能とするセキュリティコントロール手段として利用される。以下にその認証方法について説明する。
【００３８】
図５は、図４に示した認証システムにおける認証方法を説明するためのフローチャートである。
【００３９】
対物センサー２においては、監視領域内に物体が存在するかどうかが監視されることになるが、本例における対物センサー２は、ＲＦＩＤリーダ１における非接触型ＩＣカード１００からの情報読み出し領域を監視領域としているため、ＲＦＩＤリーダ１の情報読み出し領域に非接触型ＩＣカード１００が存在しているかどうかが対物センサー２により常時監視されている（ステップＳ１）。
【００４０】
対物センサー２によってＲＦＩＤリーダ１の情報読み出し領域に非接触型ＩＣカード１００が存在することが検知されると（ステップＳ２）、ＲＦＩＤリーダ１の情報読み出し領域に非接触型ＩＣカード１００が存在する旨を示す対物読み取りフラグが対物センサー２から制御装置３に通知される（ステップＳ３）。
【００４１】
すると、制御装置３において、カウンタが起動してカウント動作が開始されるとともに（ステップＳ４）、ＲＦＩＤリーダ１に対して、情報読み出し領域に対する情報の読み出し命令が通知される（ステップＳ５）。
【００４２】
ＲＦＩＤリーダ１においては、制御装置３から情報の読み出し命令が通知されると、ＲＦＩＤリーダ１の情報読み出し領域に対する情報の読み出し動作が開始され、情報読み出し領域に存在する非接触型ＩＣカード１００から読み出された情報が制御装置３に通知される。なお、ＲＦＩＤリーダ１にて上述した情報の読み出し動作が常時行われ、制御装置３において、対物センサー２から対物読み取りフラグが通知された場合に、ＲＦＩＤリーダ１にて読み出された情報を取得する構成とすることも考えられる。
【００４３】
制御装置３においては、ＲＦＩＤリーダ１から通知されてきた情報が、所定の情報であるかどうかが確認される（ステップＳ６）。ここで、所定の情報とは、この認証システムにて入場が制限される建物に入場が許可された利用者が所有する非接触型ＩＣカード１００のＩＣチップ１１１に書き込まれた情報である。そのため、非接触型ＩＣカード１００には、例えば、所有者を識別可能な情報が書き込まれており、一方、制御装置３においては、入場が制限される建物に入場が許可された利用者を識別可能な情報が管理されており、制御装置３において、ＲＦＩＤリーダ１から通知されてきた情報と、予め管理されている情報とが照合されることになる。
【００４４】
ＲＦＩＤリーダ１から通知されてきた情報が所定の情報である場合、制御装置３において、ＲＦＩＤリーダ１に非接触型ＩＣカード１００を翳した利用者が、建物に入場が許可された利用者であると判断され（ステップＳ７）、建物の入り口が開錠される等といった制御が行われる。ここで、この認証システムに図１に示した非接触型ＩＣカード１００を用いた場合は、図３（ｂ）に示したように表面シート１３０ａのうち裏面に導通パターン１３１が形成された領域が押下されるか、あるいは、図３（ｃ）に示したように導通パターン１３１が形成された領域が表裏から挟み込まれることにより押下されるかした場合にのみ、ＩＣチップ１１１に書き込まれた情報が読み出されることになる。この導通パターン１３１が形成された領域は、非接触型ＩＣカード１００の正当な所有者のみに、所有者がこのカードを取得した際に説明書等によって知らされているため、ＲＦＩＤリーダ１にて所定の情報が読み出されたということは、ＲＦＩＤリーダ１に非接触型ＩＣカード１００を翳した利用者が、建物に入場が許可された利用者であることになる。
【００４５】
一方、ＲＦＩＤリーダ１から制御装置３に情報が通知されてきていない、あるいはＲＦＩＤリーダ１から通知されてきた情報が所定の情報ではない場合は、制御装置３において、カウンタによるカウント値が予め決められたカウント値になったかどうかが判断され（ステップＳ８）、カウント値が予め決められたカウント値になった場合、この認証システムに対するアクセスが失敗したものとしてその失敗回数がカウントされる（ステップＳ９）。ここで、この認証システムに図１に示した非接触型ＩＣカード１００を用いた場合は、図３（ｂ）に示したように表面シート１３０ａのうち裏面に導通パターン１３１が形成された領域が押下されるか、あるいは、図３（ｃ）に示したように導通パターン１３１が形成された領域が表裏から挟み込まれることにより押下されるかしないと、ＩＣチップ１１１に書き込まれた情報は読み出されない。そのため、建物に入場が許可された利用者が所有する非接触型ＩＣカード１００がＲＦＩＤリーダ１に翳された場合であっても、その正当な所有者でなければ、導通パターン１３１が形成された領域がわからず、ＩＣチップ１１１からは情報が読み出されないことになる。
【００４６】
そして、その失敗回数が所定数を超えた場合（ステップＳ１０）、制御装置３において、ＲＦＩＤリーダ１に翳されているカードは、建物に入場が許可された利用者でない者によって不正に使用されているもの、あるいは建物に入場が許可されていない利用者が所有するものであると判断され、建物の入り口が開錠される等といった制御が行われず、警報が出力される（ステップＳ１１）。
【００４７】
このようにして、建物に入場が許可された利用者が非接触型ＩＣカード１００をＲＦＩＤリーダ１に翳した場合に入り口が開錠される等といった制御が行われ、建物に入場が許可された利用者が所有する非接触型ＩＣカード１００を建物への入場が許可されていない利用者がＲＦＩＤリーダ１に翳しても入り口が開錠される等といった制御が行われないという入退室管理を行うことができるが、その実現手段が、インレット１１０のアンテナ１１２の一部を断線させるとともに、この断線部１１５に対向する領域に導通パターン１３１を形成するものであるため、アンテナ１１２の形成時に任意の位置に断線部１１５を設け、それに対向する領域に導通パターン１３１を形成するという簡易な構成で、上述したように非接触型ＩＣカード１００の不正利用を防止することができる。
【００４８】
（他の実施の形態）
図６は、本発明のＲＦＩＤメディアの他の実施の形態となる非接触型ＩＣカードの他の例を示す図であり、（ａ）は表面図、（ｂ）は断面図、（ｃ）は（ｂ）に示したインレット２１０の構成を示す図、（ｄ）は（ｂ）に示した中間層２２０ｃの中間層２２０ａとの積層面の構成を示す図である。
【００４９】
本形態は図６に示すように、樹脂シート２１４上に導電性材料からなる導電性パターンであるコイル状のアンテナ２１２が形成されるとともにＩＣチップ２１１が搭載されたメイン基材部であるインレット２１０が、サブ基材部である中間層２２０ａ〜２２０ｃ及び表面シート２３０ａ，２３０ｂに挟み込まれて構成されている。ＩＣチップ２１１は、非接触状態にて情報の書き込みや読み出しが可能なものであって、接点２１３を介してアンテナ２１２と接続されている。また、アンテナ２１２は、その一部にパターンが断線した断線部２１５を有している。また、本形態においては、中間層２２０ｃと表面シート２３０ａとの間の全面に、導電層となる金属箔２４０が積層されている。そして、インレット２１０と中間層２２０ａ，２２０ｂ、中間層２２０ａと中間層２２０ｃ、中間層２２０ｃと金属箔２４０、金属箔２４０と表面シート２３０ａ、並びに、中間層２２０ｂと表面シート２３０ｂとはそれぞれ接着剤層（不図示）によって互いに接着されている。
【００５０】
中間層２２０ｃは、中間層２２０ａとの積層面のうち、アンテナ２１２の断線部２１５に対向する領域に導通手段となる導通パターン２３１が形成されている。この導通パターン２３１の長さは、断線部２１５にて断線されたアンテナ２１２の端部間の間隔よりも若干長くなっており、それにより、中間層２２０ｃのこの領域がインレット２１０に当接すると、導通パターン２３１が断線部２１５にて断線されたアンテナ２１２の端部にそれぞれ接触し、断線部２１５を導通させることができる。
【００５１】
中間層２２０ａは、インレット２１０と中間層２２０ｃとの間に介在し、アンテナ２１２の断線部２１５及び中間層２２０ｃに形成された導通パターン２３１と対向する領域に穴部２２１が設けられており、それにより、導通パターン２３１が、断線部２１５に対して中間層２２０ａの厚さ分の空隙を介して配置された状態となっている。この穴部２２１の大きさは、断線部２１５及び導通パターン２３１を含むような大きさであり、それにより、中間層２２０ｃの穴部２２１に対向する領域がインレット２１０に当接すると、導通パターン２３１と断線部２１５にて断線されたアンテナ２１２の端部とを接触させることができるようになっている。
【００５２】
上記のように構成された非接触型ＩＣカード２００においても、図１に示したものと同様に、表面シート２３０ａのうち中間層２２０ｃに導通パターン２３１が形成された領域が押下されるか、あるいは、導通パターン２３１が形成された領域が表裏から挟み込まれることにより押下されるかした場合に、導通パターン２３１と断線部２１５にて断線されたアンテナ２１２の端部とが接触し、ＩＣチップ２１１に対する情報の書き込みや読み出しが行われることになる。
【００５３】
本形態においては、中間層２２０ｃと表面シート２３０ａとの間の全面に金属箔２４０が積層されているため、光や放射線によって透かされた場合に、断線部２１５及び導通パターン２３１が設けられた位置が認識されてしまうことがなくなり、不正使用を防止できる。ただし、本形態においては、アンテナ２１２の形状を、金属箔２４０に合わせてＩＣチップ２１１に対する情報の書き込み及び読み出しが可能となるように設定する必要がある。
【００５４】
なお、アンテナ２１２及び導通パターン２３１と金属箔２４０との間に磁性部材を設けることにより、金属箔２４０による磁束の漏れを小さくし、通信特性を向上させることも考えられる。
【００５５】
図７は、本発明のＲＦＩＤメディアの他の実施の形態となる非接触型ＩＣカードの他の例を示す図であり、（ａ）は表面図、（ｂ）は断面図、（ｃ）は（ｂ）に示したインレット３１０の構成を示す図、（ｄ）は（ｂ）に示した表面シート３３０ａの裏面の構成を示す図である。
【００５６】
本形態は図７に示すように、図１に示したものに対して、アンテナ３１２に２つの断線部３１５ａ，３１５ｂが設けられている点が異なり、それに伴い、表面シート３３０ａにおいても、この２つの断線部３１５ａ，３１５ｂと対向する領域にそれぞれ導通パターン３３１ａ，３３１ｂが形成されている。また、中間層３２０ａにおいても、これら断線部３１５ａ，３１５ｂ及び導通パターン３３１ａ，３３１ｂに対向する領域にそれぞれ穴部３２１（断線部３１５ｂ及び導通パターン３３１ｂに対向する穴部については不図示）が設けられている。
【００５７】
上記のように構成された非接触型ＩＣカード３００においては、表面シート３３０ａのうち裏面に導通パターン３３１ａ，３３１ｂが形成された領域が両方とも押下されるか、あるいは、導通パターン３３１ａ，３３１ｂが形成された領域が両方とも表裏から挟み込まれることにより押下されるかした場合に、導通パターン３３１ａ，３３１ｂと断線部３１５ａ，３１５ｂにて断線されたアンテナ３１２の端部とが接触し、ＩＣチップ３１１に対する情報の書き込みや読み出しが行われることになる。
【００５８】
本形態においては、２つの導通パターン３３１ａ，３３１ｂが形成された領域のそれぞれが押下された場合にのみＩＣチップ３１１に対する情報の書き込みや読み出しが行われることになるため、不正使用のリスクをさらに低減することができる。
【００５９】
なお、上述した３つの実施の形態においては、インレット１１０，２１０，３１０が、サブ基材部となる中間層及び表面シートに挟み込まれた構成としているが、インレット１１０，２１０，３１０のアンテナ１１２，２１２，３１２が形成された面のみに中間層及び表面シートが積層された構成であってもよい。
【００６０】
また、上述した３つの実施の形態においては、情報書込／読出装置に近接させることにより、情報書込／読出装置からの電磁誘導によってアンテナ１１２，２１２，３１２に電流が流れ、この電流がＩＣチップ１１１，２１１，３１１に供給され、それにより、非接触状態において、情報書込／読出装置からＩＣチップ１１１，２１１，３１１に情報が書き込まれたり、ＩＣチップ１１１，２１１，３１１に書き込まれた情報が情報書込／読出装置にて読み出されたりするものを例に挙げて説明したが、本発明はこれに限らず、情報書込／読出装置からの電波に共振してアンテナに電流が発生し、この電流がＩＣチップに供給されることにより、情報書込／読出装置からＩＣチップに情報が書き込まれたり、ＩＣチップに書き込まれた情報が情報書込／読出装置にて読み出されたりするものにおいても適用することができる。
【００６１】
また、上述した３つの実施の形態においては、非接触状態にて情報の書き込み及び／または読み出しが可能なＲＦＩＤメディアとして非接触型ＩＣカードを例に挙げて説明したが、本発明は、非接触型ＩＣカードに限らず、非接触型ＩＣタグや非接触型ＩＣラベル等であっても適用することができることは言うまでもない。
【図面の簡単な説明】
【００６２】
【図１】本発明のＲＦＩＤメディアの実施の一形態となる非接触型ＩＣカードの一例を示す図であり、（ａ）は表面図、（ｂ）は断面図、（ｃ）は（ｂ）に示したインレットの構成を示す図、（ｄ）は（ｂ）に示した表面シートの裏面の構成を示す図である。
【図２】図１に示した非接触型ＩＣカードの積層状態を示す図であり、（ａ）はインレット上に中間層が積層された状態を示す図、（ｂ）は中間層上に表面シートが積層された状態を示す図である。
【図３】図１に示した非接触型ＩＣカードの使用方法を説明するための図であり、（ａ）は外力が加わっていない状態における断面図、（ｂ）は導通パターンが形成された領域が一方の表面シート側から押下された状態を示す図、（ｃ）は導通パターンが形成された領域が表裏から挟み込まれることにより押下された状態を示す図である。
【図４】図１に示した非接触型ＩＣカードを用いて認証を行う認証システムの一例を示す図である。
【図５】図４に示した認証システムにおける認証方法を説明するためのフローチャートである。
【図６】本発明のＲＦＩＤメディアの他の実施の形態となる非接触型ＩＣカードの他の例を示す図であり、（ａ）は表面図、（ｂ）は断面図、（ｃ）は（ｂ）に示したインレットの構成を示す図、（ｄ）は（ｂ）に示した中間層の積層面の構成を示す図である。
【図７】本発明のＲＦＩＤメディアの他の実施の形態となる非接触型ＩＣカードの他の例を示す図であり、（ａ）は表面図、（ｂ）は断面図、（ｃ）は（ｂ）に示したインレットの構成を示す図、（ｄ）は（ｂ）に示した表面シートの裏面の構成を示す図である。
【図８】従来の非接触型ＩＣカードの構造の一例を示す図であり、（ａ）は表面図、（ｂ）は内部構造を示す図、（ｃ）は（ｂ）に示したＡ−Ａ’断面図である。
【符号の説明】
【００６３】
１    ＲＦＩＤリーダ
２    対物センサー
３    制御装置
１００，２００，３００    非接触型ＩＣカード
１１０，２１０，３１０    インレット
１１１，２１１，３１１    ＩＣチップ
１１２，２１２，３１２    アンテナ
１１３，２１３，３１３    接点
１１４，２１４，３１４    樹脂シート
１１５，２１５，３１５ａ，３１５ｂ    断線部
１２０ａ，１２０ｂ，２２０ａ〜２２０ｃ，３２０ａ，３２０ｂ    中間層
１２１，２２１，３２１    穴部
１３０ａ，１３０ｂ，２３０ａ，２３０ｂ，３３０ａ，３３０ｂ    表面シート
１３１，２３１，３３１ａ，３３１ｂ    導通パターン
２４０    金属箔
【図１】
2008071121.tif 000003
【図２】
2008071121.tif 000004
【図３】
2008071121.tif 000005
【図４】
2008071121.tif 000006
【図５】
2008071121.tif 000007
【図６】
2008071121.tif 000008
【図７】
2008071121.tif 000009
【図８】
2008071121.tif 000010